(57)【要約】【課題】透明な多重壁の、壁体の熱膨張等に伴う応力変化に起因する撓みや亀裂の防止、透明な壁面の結露防止や間隙部側の透明な壁面の結露防止や、更には、透明な壁面の減少低減を防止した多重壁構造の提供。【解決手段】複数の透明な壁体の各々が、相隣る透明な壁体と壁面を相対向して設置された多重壁構造において、相隣り対向する一方の透明な壁体と他方の透明な壁体を、間隙部を介して、変形性連結材で連結し、更に、間隙部の一部または全部が密閉された状態にした。【選択図】  図１
2004225511.tif 000002
【特許請求の範囲】
【請求項１】
複数の透明な壁体の各々が、相隣る透明な壁体と、壁面を相対向して設置された多重壁構造において、相隣り対向する一方の透明な壁体と他方の透明な壁体を、間隙部を介して、変形性連結材で連結する透明な多重壁構造。
【請求項２】
間隙部の一部または／および全部が密閉された請求項１に記載の透明な多重壁構造。
【請求項３】
変形性連結材が透明なものである請求項１または２に記載の透明な多重壁構造。
【請求項４】
変形性連結材が接着性を有する請求項１ないし３のいずれか１項に記載の透明な多重壁構造。
【請求項５】
複数の透明な壁体の各々が、相隣る透明な壁体と、壁面を相対向して設置された多重壁構造において、相隣り対向する一方の透明な壁体と他方の透明な壁体を、間隙部を介して、変形性連結材で連結する透明な多重壁構造を有する接液容器。
【請求項６】
間隙部の一部または／および全部が密閉された請求項５に記載の接液容器。
【請求項７】
変形性連結材が透明なものである請求項５または６に記載の接液容器。
【請求項８】
複数の透明な壁体の各々が、相隣る透明な壁体と、壁面を相対向して設置された多重壁構造において、相隣り対向する一方の透明な壁体と他方の透明な壁体を、間隙部を介して、変形性連結材で連結する透明な多重壁構造を有する開口部嵌込材。
【請求項９】
間隙部の一部または／および全部が密閉された請求項８に記載の開口部嵌込材。
【請求項１０】
変形性連結材が透明なものである請求項８または９に記載の開口部嵌込材。
【請求項１１】
間隙部を介して壁面が相対向する、既存の壁体と新たな壁体を、前記相対向する壁面の端周および／または面内部に変形性連結材を接着して連結する多重壁構造の工法。
【請求項１２】
壁体および変形性連結材が透明なものである請求項１０に記載の多重壁構造の工法。
【請求項１３】
変形性連結材に接着性を有する連結材を使用する請求項１１または１２に記載の多重壁構造の工法。
【発明の詳細な説明】
【０００１】
【発明の属する技術分野】
本発明は、間隙部となる空間を有する透明な多重壁構造および該透明な多重壁構造を有する接液容器や開口部嵌込材および既存の壁を利用する多重壁構造の工法に関する。
【０００２】
【従来の技術】
従来、透明壁の保温、防音、結露防止、壁面の保護強化のために、一方の透明な壁と他方の透明な壁を有する二重壁構造が有効であることが知られ、従来の透明な二重壁の連結材はゴム、プラスティック等を材料とする不透明なシール材やパッキン材が採用され、支持固定も硬質、軟質等様々な性質が利用されていた。
【０００３】
また、既存の透明な壁を二重壁に改造するためには、既存の壁（一方の壁）と新設する壁（他方の壁）の各々が対向する側の壁面にマグネットシートを接着固定し、これらマグネットシートの引着力によって、前記既存、新設の両壁を連結固定する（つまり、前記既存、新設の両壁の間隙部に挟まれるマグネットシートを連結材として介することによって該両壁を非接触で対向支持固定する）方法が知られ、両壁が透明な該方法に基づく二重壁もガラス窓等の開口部嵌込材として利用されている。
【０００４】
【発明が解決しようとする課題】
しかし、従来の透明な二重壁の連結材が硬質であったり、軟質材であっても強固に接着されている場合、一方、他方の両透明な壁において材質の相違による熱膨張率の差異や、該両透明な壁が同質材であっても各々の温度条件の相違による膨張変化度合（長さ、面積等）の差異によって壁に対する応力が変化して撓みや亀裂が生じることがあった。
【０００５】
また、前記のごとく、マグネットシートを連結材に使用して既存の壁を二重壁に改造する方法によれば、対向接着しているマグネットシート同士がずれることにより応力が解消されるため、前記壁の熱膨張率や膨張変化度合の差異による問題の解決には有効であった。
しかし、該二重壁の間隙部が気密を要する場合、マグネットシート同士がずれることにより、対向接着しているマグネットシート同士間に隙間が生じ、ここから前記間隙部に水蒸気が入り込み二重壁の内面に結露を生じることがあった。
また、マグネットシート自体が高価で、これを両壁に対向接着させるためコスト高となってしまうことや、透明性をより必要とする多重壁の場合には、不透明であるマグネットシートが使用されることによる壁の透明な面が減少すること等の不都合もあった。
更に、該連結材が、ゴム、プラスチック等を材料とする不透明な色のシール材やパッキン材である場合、前記と同様に、該連結材の設置面積分だけ、透明な壁面の縮小、制限を強いられる不都合もあった。
【０００６】
本発明は上記事情に鑑み、透明な壁の熱膨張等による応力変化に起因する撓みや亀裂を防止し、間隙部側の透明な壁面、空気と接する他の壁面等の結露を防止し、透明性をより必要とする多重壁の場合には透明な壁面が減少することのない、そして安価で透明な多重壁および該透明な多重壁を利用した例えば水槽等の接液容器と例えばガラス窓等の開口部嵌込材、ならびに既存の壁体を安価にかつ容易に改造する透明ないし不透明の多重壁構造の工法を提供することを目的とする。
【０００７】
【課題を解決するための手段】
本発明の上記課題の解決と目的の達成のために、請求項１に記載の透明な多重壁構造は、複数の透明な壁体の各々が、相隣る透明な壁体と、壁面を相対向して設置された多重壁構造において、相隣り対向する一方の透明な壁体と他方の透明な壁体を、間隙部を介して、変形性連結材で連結することを特徴とする。
【０００８】
上記構成の透明な多重壁構造によって、透明な壁の熱膨張等による寸法変化に伴う応力変化に起因する撓みや亀裂を防止し、透明な壁面の外気温の差異による結露や、必要に応じ前記間隙部への水蒸気の浸入を防いで間隙部側の結露を防止し、安価で、透明な多重壁構造を提供することができる。
【０００９】
さらに請求項２に記載の透明な多重壁構造は、間隙部の一部または／および全部が密閉されたことを特徴とする。
上記構成の透明な多重壁構造によって、前記間隙部への水蒸気の侵入を防ぎ、間隙部側の透明な壁面の結露をも防止する透明な多重壁構造を提供することができる。
【００１０】
そして更に、請求項３に記載の透明な多重壁構造は、変形性連結材が透明なものであることを特徴とする。
上記構成の透明な多重壁構造によって、透明な壁面を減少させることのない透明な多重壁構造を提供することができる。
【００１１】
また、請求項４に記載の透明な多重壁構造は、変形性連結材が接着性を有することを特徴とする。
上記構成の透明な多重壁構造によって、透明な多重壁を新設する場合や既存の透明な壁を多重壁に改造する場合には、作業がより容易になり、よって、安価に透明な多重壁構造を提供することができる。
【００１２】
そしてまた、請求項５に記載の接液容器は、複数の透明な壁体の各々が、相隣る透明な壁体と、壁面を相対向して設置された多重壁構造において、相隣り対向する一方の透明な壁体と他方の透明な壁体を、間隙部を介して、変形性連結材で連結する透明な多重壁構造を有することを特徴とする。
【００１３】
上記構成の接液容器によって、透明な壁の熱膨張等による応力変化に起因する撓みや亀裂を防止し、外気側の透明な壁面の結露を防止し、安価で透明な多重壁構造を有する接液容器を提供することができる他、さらに壁面を加設改造する場合、接着性を有する変形性連結材を使用すれば、より容易に改造できる。
【００１４】
さらに、請求項６に記載の接液容器は、間隙部の一部または／および全部が密閉されたことを特徴とする。
上記構成の接液容器によって、前記間隙部への水蒸気の侵入を防ぎ、間隙部側の透明な壁面の結露をも防止する接液容器を提供することができる。
【００１５】
またさらに、請求項７に記載の接液容器は、変形性連結材が透明なものであることを特徴とする。
上記構成の接液容器によって、透明な壁面が減少することのない接液容器を提供することができる。
【００１６】
そして、請求項８に記載の開口部嵌込材は、複数の透明な壁体の各々が、相隣る透明な壁体と、壁面を相対向して設置された多重壁構造において、相隣り対向する一方の透明な壁体と他方の透明な壁体を、間隙部を介して、変形性連結材で連結する透明な多重壁構造を有することを特徴とする。
【００１７】
上記構成の開口部嵌込材によって、透明な壁の熱膨張等による応力変化に起因する撓みや亀裂を防止し、透明な壁面の結露を防止し、安価で透明な多重壁構造を有する開口部嵌込材を提供することができる他、さらに壁面を加設改造する場合、接着性を有する変形性連結材を使用すればより容易に改造できる。
【００１８】
そしてまた、請求項９に記載の開口部嵌込材は、間隙部の一部または／および全部が密閉されたことを特徴とする。
上記構成の開口部嵌込材によって、前記間隙部への水蒸気の侵入を防ぎ、間隙部側の透明な壁面の結露をも防止する開口部嵌込材を提供することができる。
【００１９】
更に、請求項１０に記載の開口部嵌込材は、変形性連結材が透明なものであることを特徴とする。
上記構成の開口部嵌込材によって、透明な壁面が減少することのない開口部嵌込材を提供することができる。
【００２０】
更にまた、請求項１１に記載の多重壁構造の工法は、間隙部を介して壁面が相対向する、既存の壁体と新たな壁体を、前記相対向する壁面の端周および／または面内部に変形性連結材を接着して連結することを特徴とする。
【００２１】
上記構成の多重壁構造の工法によって、壁の熱膨張等による寸法変化に伴う応力変化に起因する撓みや亀裂を防止し、必要に応じ、前記間隙部への水蒸気の浸入を防ぎ、間隙部側の壁面の結露を防止した多重壁構造を、既存の壁を利用、改造して安価にかつ容易に提供することができる。
【００２２】
そして更に、請求項１２に記載の多重壁構造の工法は、壁体および変形性連結材が透明なものであることを特徴とする。
上記構成の多重壁構造の工法によって、透明性を必要とする既存の壁を、透明な壁面を減少させることなく、透明な多重壁構造へ安価にかつ容易に改造する方法を提供することができる。
【００２３】
また、請求項１３に記載の多重壁構造の工法は、変形性連結材に接着性を有する連結材を使用することを特徴とする。
上記構成の多重壁構造の工法によって、より容易な改造法を提供することができる。
【００２４】
【発明の実施の形態】
以下に本発明の実施形態を、実施例としての図面も参照して説明する。尚、本発明はこれらの実施例に限定されるものではない。
本発明は、透明な多重壁をめぐる技術的構成からなる構造、すなわち、透明な多重壁構造（請求項１ないし４）、該透明な多重壁構造を有する接液容器（請求項５ないし７）と開口部嵌込材（請求項８ないし１０）であり、また、本発明は、多重壁構造の工法（請求項１１ないし１３）である。
尚、本発明の多重壁構造は、二重壁として有効利用される他、必要に応じて三重壁等のように、より多くの複数の壁体を連結することができ、そして、該多重壁構造は固定のもの、移動可能なもの等いずれでもよい。
また、本発明の壁体としては、例えば、平板状、断面弧状、円筒状、角筒状等、その形状は何ら制限されず、目的に応じて選択される。
【００２５】
請求項１ないし４に記載の透明な多重壁構造は、目的に応じて有色や無色の透明を選択できるものであり、複数の透明な壁体が相隣る壁体に対し、各々壁面を対向させて設けられ、変形性連結材が装着されている。
本発明に使用される透明な壁体は無色透明に限るものでなく、色々な有色透明なものでもよいし、場合によっては半透明の壁体でもよい。
更に、全ての壁体が同一の透明色である必要もなく、目的に応じて様々な透明色を組合わせることができる。
また、相対向する壁面同士は完全な平行面である必要もなく、使用目的によっては、所望する傾斜角を有する非平行に設置することもできる他、各々の壁体の厚みが異なってもよい。
そしてまた、壁体は平面のみでなく、凹面や凸面でもよく、更に、これらの組合せも実施できる。
さらにまた、壁体の材料は、例えばアクリル、スチレン、塩化ビニル、ポリエチレンテレフタレート（ＰＥＴ）、ポリカーボネート、ＡＢＳ等のプラスチック、ガラス等、透明なものを目的に応じて選択使用できるが、中でも、軽量で傷が付きにくく、衝撃に強いポリエチレンテレフタレート（ＰＥＴ）等が特に好適である。
【００２６】
前記対向する壁体間の間隙部の間隔は、実施目的と状態によって、自由に選択することができる。
更に、変形性連結材の配置によっては、間隙部の密閉された空間の拡大、縮小が可能であり、壁面の端周に配置すれば最大限の間隙部の密閉を可能とし、壁面の面央部（面内部）に配置すれば間隙部の密閉が開放されるが、壁面の補強、強化に有効である。
このように、変形性連結材は、壁面の端周や面央部（面内部）に目的と実施状況に応じて、自由に選択して配置可能である。
【００２７】
前記間隙部に設けられる連結材は、変形性を有する、ゴム、プラスチック、それらの混合物等、透明、不透明なもの等を問わず、目的に応じて選択使用される。透明性をより必要とする多重壁構造の場合には、透明なものが特に好適で、例えば、シリコンゴム、ポリエチレン系、アクリル系、ポリオレフィン系、ポリ塩化ビニル系等の材料が挙げられ、また、これら適正材料の中で、色々な有色、無色の透明なものや半透明なものを目的に応じて選択使用することができる。
勿論、変形性に加え、弾性等のような形状復元性があれば、更に効果的である上、硬質、軟質の度合いは使用目的に応じて自由に選択すればよい。
更に、変形性連結材の形状は、紐状、棒状、板状、シート状、環状等のものを自由に選択できる他、断面形状は角形等の矩形、円形、半円形、凸形、凹形、環形、扇形等の様々な形状を目的に応じて選択使用できる。
【００２８】
また更に、変形性連結材は、接着性のないものに接着剤を塗布して使用してもよいが、接着性を有するものは、既存の壁を改造して透明な多重壁を構築する際に作業性に優れる。
そしてまた、透明な変形性連結材の好適な具体例としては、炭化水素で構成される直鎖の高分子が絡み合った化合物である「コスモゲル」（株式会社  コスモ計器製商品名）が挙げられ、このものは弾性、粘着性、接着性を有していて作業性に優れている（尚、必要により、接着力を更に高めるために、接着剤を併用することもできる）。
【００２９】
図１は、本発明の多重壁構造の一実施例を示す断面図である。
図１において、一方の透明な壁体１に対し、他方の透明な壁体２が間隙部３を介して相対向して配置され、そして両壁体１、２は変形性連結材４で接着連結されている。
【００３０】
次に、前記透明な多重壁構造を利用した接液容器（請求項５ないし７）は、保温、結露防止に優れ、水槽や薬液容器等の利用に適している。
冷水域の生物を飼育する水槽に適用した場合には、結露防止によって観察が容易になり、外気温の変化にも対応して安定した温度条件を提供でき、保温性の向上は、ひいては温度環境維持のエネルギー節約にもなり、また、有色透明にすれば、飼育等の光環境も目的により選択可能である。
更に、本発明の接液容器を薬液等に使用する場合、液体保存の安定性にも優れ、多重壁であることや連結材が変形性である性質上、破損による液漏れ防止に優れる他、有色透明にすれば、光による化学変化も防止可能である。
【００３１】
図２は、本発明の透明な多重壁構造を有する接液容器の一実施例を示す水槽の一部断面図である。
図２においては、水槽は、必要によりその各辺の端部が補強材１５によって補強されているものが示されている。同図において、該水槽壁の一部を形成している一方の透明な壁体１１に対し、他方の透明な壁体１２が間隙部１３を介して相対向して配置され、そして、両壁体１１、１２は前記補強材１５を介してそれらの端周に配置された変形性連結材１４で接着連結されている。この場合、前記補強材１５は、前記一方の透明な壁体１１にパッキン等適切な手段で密着されていて、前記両壁体１１、１２、該補強材１５および変形性連結材１４によって形成された間隙部１３は密閉された状態になっている。
なお、補強材等を設けない水槽等においては、前記変形性連結材として透明なものを用いれば、透明な壁面が減少することがなく、好適である。
【００３２】
また、前記透明な多重壁構造を利用した開口部嵌込材（請求項８ないし１０）は、窓や扉等への利用が効果的であり、防音、保温、結露防止に優れる他、変形性連結材を使用しているため、温度差による応力変化にも対応でき、破損防止にも優れる。
更に、壁体および変形性連結材として所望の透明色を選択使用すれば、デザイン性にも優れ、好みにより光をソフトに採光することができる。
【００３３】
図３は、本発明の透明な多重壁構造を有する開口部嵌込材の一実施例を示す正面図であり、図４はその断面図である。
図３および図４において、窓の一部を形成するガラス製の一方の透明な壁体２１に対し、ポリエチレンテレフタレート（ＰＥＴ）製の他方の透明な壁体２２が間隙部２３を介して相対向して配置され、そして両壁体２１、２２はそれらの端周に配置された透明な変形性連結材２４で接着連結されていて、前記間隙部２３の殆ど全部が密閉された状態になっている。
【００３４】
請求項１１ないし１３の発明は、既存の透明、不透明等の壁体（一重壁、多重壁を問わず）に更に新たに壁体を設けて改造することもできる多重壁の工法であり、矩形、円形、その他、壁構造の多様性に対応できる有効な技術的手段であって、既存の壁を廃棄して新たな多重壁を製作することに比べ、安価に多重壁を得ることができる。
状況によっては、継続使用中の既存の壁に更に壁を設けることを余儀なくされることもあり、この場合には本発明の工法は極めて有効となる。
そして、これら壁体の材料としては、各種通常の壁として使用されているものを適宜選択して使用できるが、透明なものについては、前記したものが有効に使用できる、
また、壁体および変形性連結材が透明なものであれば、透明性を必要とする多重壁構造の工法として好適であり、更に変形性連結材に接着性を有する連結材を使用すれば、多重壁構造への改造はより容易になる。
【００３５】
本発明の工法の具体例としては、既存の壁体または新たな壁体のいずれか一方の端周および／または面内部に変形性連結材を必要により接着剤を用いて接着させ、次いで、両壁体を間隙部を介して壁面が相対向するように配置し、前記変形性連結材で必要により接着剤を用いて接着連結させる方法である。
【００３６】
図５（ａ）および（ｂ）は、本発明の多重壁構造の工法における工程の一実施例を示すものである。
（イ）第１工程（図５（ａ））：既存の壁体３１の端周に接着性を有する変形性連結材３４を配置して接着させる。
（ロ）第２工程（図５（ｂ））：新たな壁体３２を前記既存の壁体３１に間隙部３３を介してそれらの壁面が相対向するように配置し、次いで前記接着性を有する変形性連結材３４に圧着して接着連結させる。この場合、前記間隙部３３は、その殆ど全部が密閉された状態になる。
【００３７】
【発明の効果】
以上の説明のとおり、請求項１に記載の発明の透明な多重壁構造は、まず、構造がシンプルであることから安価である。
更に、その構造の特性から、防音、保温、壁面の結露防止に優れた効果を奏する。
そして更に、連結材が変形性を有することから、配置された各々の壁体の熱膨張等の相違等の寸法変化による応力変化に起因する撓みや亀裂を防止する効果を奏する。
また、請求項２に記載の本発明の透明な多重壁構造は、間隙部の密閉範囲を必要部分に限定することができ、面央部に変形性連結材を配置することで壁面の補強、強化にも優れる他、間隙部の壁面の結露を防止する効果を奏する。
さらにまた、請求項３に記載の本発明の透明な多重壁構造は、変形性連結材が透明であることから、壁面の透明な部分が増加する効果を奏する。
また、請求項４に記載の本発明の透明な多重壁構造は、変形性連結材が接着性を有することから、既存の壁に新たな壁を設ける必要がある場合、より容易に改造することができる効果を奏する。
【００３８】
請求項５に記載の本発明の接液容器は、水槽に利用する場合には、結露防止に優れることから、水槽内の観察が容易になり、保温性を有することから水槽内の安定した温度環境の提供とその温度維持エネルギーの節約に効果を奏する。
更に、多重壁構造であることと変形性連結材を使用していることから、破損防止に優れ、薬液容器の安全性を高める効果を奏する。
また、請求項６に記載の本発明の接液容器は、間隙部側の透明な壁面の結露を防止し、さらにまた、請求項７に記載の本発明の接液容器は、透明な壁面の減少がない効果を奏する。
【００３９】
そしてまた、請求項８に記載の本発明の開口部嵌込材は、構造の特性による防音、保温、結露防止に優れ、変形性連結材による破損防止にも優れる効果を奏する。
更に、請求項９に記載の本発明の開口部嵌込材は、間隙部側の透明な壁面の結露を防止し、さらにまた、請求項１０に記載の本発明の開口部嵌込材は、透明な壁面の減少がない効果を奏する。
【００４０】
そして更に、請求項１１ないし１３に記載の本発明の多重壁構造の工法によれば、既存の壁を廃棄することなく有効に利用して安価にかつ容易に多重壁構造を得ることができ、また、壁体および変形性連結材として透明なものを用いれば、透明な壁面の減少もない透明な多重壁構造を安価にかつ容易に得ることができ、更に、接着性を有する変形性連結材を使用すれば、多重壁構造への改造もより容易にする効果を奏する。
【図面の簡単な説明】
【図１】透明な多重壁構造の縦断面図である。
【図２】透明な多重壁構造を有する接液容器の縦断面図である。
【図３】透明な多重壁構造を有する開口部嵌込材の正面図である。
【図４】透明な多重壁構造を有する開口部嵌込材の縦断面図である。
【図５】多重壁構造の工法における工程を示す図である。
【符号の説明】
１、１１、２１  一方の透明な壁体
２、１２、２２  他方の透明な壁体
３、１３、２３、３３  間隙部
４、１４、２４  変形性連結材
１５  補強材
２５  窓枠
２６  パッキン
２７  鍵
３１  既存の壁体
３２  新たな壁体
３４  変形性連結材
【図１】
2004225511.tif 000003
【図２】
2004225511.tif 000004
【図３】
2004225511.tif 000005
【図４】
2004225511.tif 000006
【図５】
2004225511.tif 000007